(57)【要約】      （修正有）【課題】長期間に使用され、又は組合せ式棚を多数回に分解・組立てても、部材の結合力が降下しない棚組立用継ぎ手を提供する。【解決手段】複数のプレートを組付けて棚を形成するためのものであり、プレートの二つの側辺のコーナーには、それぞれ両側へ突出する挿入ロッドが設けられている棚組立用継ぎ手において、互いに垂直する、第１接合端３１と、第２接合端３２と、を有する主体２１と、第１接合端３１に設けられており、挿入ロッドを挿入して緊迫させ可能な少なくとも二つの第１接合穴５１を有する第１接合構造４１と、第２接合端３２に設けられており、挿入ロッドを挿入して緊迫させ可能な少なくとも二つの第２接合穴５２を有する第２接合構造４２と、を含む。【選択図】図３
0003196769.tif 000002
【実用新案登録請求の範囲】
【請求項１】
二つの側辺のコーナーにそれぞれ両側へ突出する挿入ロッド（１１）が設けられた複数のプレート（１０）を組付けて棚を形成するための棚組立用継ぎ手において、
互いに垂直な、第１接合端（３１）と、第２接合端（３２）と、を有する主体（２１）と、
前記第１接合端（３１）に設けられており、前記挿入ロッド（１１）を挿入して緊迫させることが可能な少なくとも二つの第１接合穴（５１）を有する第１接合構造（４１）と、
前記第２接合端（３２）に設けられており、前記挿入ロッド（１１）を挿入して緊迫させることが可能な少なくとも二つの第２接合穴（５２）を有する第２接合構造（４２）と、
を含むことを特徴とする棚組立用継ぎ手。
【請求項２】
前記各第１接合穴（５１）と前記各第２接合穴（５２）との内部には、前記挿入ロッド（１１）を係止する係り縁（６０）がそれぞれ設けられていることを特徴とする、請求項１に記載の棚組立用継ぎ手。
【請求項３】
前記主体（２１）には、前記第１接合穴（５１）の延び方向に沿って延びる第１翼（７１）と、前記第２接合穴（５２）の延び方向に沿って延びる第２翼（７２）と、が設けられていることを特徴とする、請求項１に記載の棚組立用継ぎ手。
【考案の詳細な説明】
【技術分野】
【０００１】
本考案は、棚組立用継ぎ手に関し、特に、棚組立用継ぎ手の組付け構造に関するものである。
【背景技術】
【０００２】
図１及び図２を参照する。図１及び図２に示したのは従来の組合せ式棚である。このような組合せ式棚は、複数の挟み式継ぎ手１と、複数のプレート２と、から構成される。各挟み式継ぎ手１は四つの挟み部３を有する。各挟み部３は、一定の距離に離間している二つの板４から構成される。各プレート２の四つのコーナーは、それぞれ挟み部３に挟み込まれる。これにより、挟み部３は各プレート２の四つのコーナーを挟んで固定する。これらを適当に組み立てると、組合せ式棚を形成することが可能である。
【０００３】
従来の組合せ式棚は、ユーザの好みによって自由に組付けることが可能であり、例えば階段状などの形状に組付けることが可能である。このため、組合せ式棚は大人気な家具となる。
【０００４】
しかし、このような組合せ式棚は、挟み式継ぎ手１によってプレート２を挟むため、挟み式継ぎ手１の挟み部３が長期間に使用され、又は組合せ式棚を多数回に分解・組立てると、挟み部３の弾性が小さくなって、挟み力が不足となる。また、挟み式継ぎ手１のプレート２を挟む方式は、プレート２に平行する回転力を止めることができない。このため、挟み部３の挟み力が不足となる場合には、品物が放置されている組合せ式棚が崩れる可能性がある。
【考案の概要】
【考案が解決しようとする課題】
【０００５】
本考案の主な目的は、長期間に使用され、又は組合せ式棚を多数回に分解・組立てても、部材の結合力が降下しない棚組立用継ぎ手を提供することにある。
【課題を解決するための手段】
【０００６】
本考案の棚組立用継ぎ手によると、複数のプレート１０を組付けて棚を形成するためのものであり、プレート１０の二つの側辺のコーナーには、それぞれ両側へ突出する挿入ロッド１１が設けられている棚組立用継ぎ手において、
互いに垂直する、第１接合端３１と、第２接合端３２と、を有する主体２１と、
第１接合端３１に設けられており、挿入ロッド１１を挿入して緊迫させ可能な少なくとも二つの第１接合穴５１を有する第１接合構造４１と、
第２接合端３２に設けられており、挿入ロッド１１を挿入して緊迫させ可能な少なくとも二つの第２接合穴５２を有する第２接合構造４２と、
を含むことを特徴とする。
【０００７】
本考案の棚組立用継ぎ手によると、各第１接合穴５１と各第２接合穴５２との内部には、挿入ロッド１１を係止する係り縁６０がそれぞれ設けられていることを特徴とする。
【０００８】
本考案の棚組立用継ぎ手によると、主体２１には、第１接合穴５１の延び方向に沿って延びる第１翼７１と、第２接合穴５２の延び方向に沿って延びる第２翼７２と、が設けられていることを特徴とする。
【考案の効果】
【０００９】
本考案の棚組立用継ぎ手によれば、長期間に使用され、又は組合せ式棚を多数回に分解・組立てても、部材の結合力が降下しないという効果を有する。
【図面の簡単な説明】
【００１０】
【図１】従来の棚組立用継ぎ手の構造を示す斜視図である。
【図２】従来の組合せ式棚の構造を示す図である。
【図３】本考案の実施例１の構造を示す斜視図である。
【図４】本考案の棚組立用継ぎ手に合わせて使用するプレートの構造を示す斜視図である。
【図５】本考案の実施例２の構造を示す斜視図である。
【図６】本考案の実施例３の構造を示す斜視図である。
【図７】本考案の棚組立用継ぎ手に合わせて使用するドアプレートの構造を示す斜視図である。
【図８】本考案の棚組立用継ぎ手に合わせて使用するキャスターの構造を示す斜視図である。
【図９】本考案の使用状態を示す模式図１である。
【図１０】本考案の使用状態を示す模式図２である。
【図１１】本考案の別の使用状態を示す模式図である。
【図１２】本考案のプレートと棚組立用継ぎ手を組付けた状態を示す図である。
【考案を実施するための形態】
【００１１】
以下、本考案の実施の形態を図面に基づいて説明する。
【００１２】
（実施例１）
図３及び図４を参照する。本実施例の棚組立用継ぎ手２０Ａは、複数のプレート１０を組付けて棚を形成するためのものであり、プレート１０の二つの側辺のコーナーには、それぞれ両側へ突出する挿入ロッド１１が設けられている。棚組立用継ぎ手２０Ａは、主体２１と、第１接合構造４１と、第２接合構造４２と、を含む。主体２１は、互いに垂直する、第１接合端３１と、第２接合端３２と、を有する。第１接合構造４１は、第１接合端３１に設けられており、挿入ロッド１１を挿入して緊迫させることが可能な少なくとも二つの第１接合穴５１を有する。第２接合構造４２は、第２接合端３２に設けられており、挿入ロッド１１を挿入して緊迫させることが可能な少なくとも二つの第２接合穴５２を有する。
【００１３】
各第１接合穴５１と各第２接合穴５２との内部には、挿入ロッド１１を係止する係り縁６０がそれぞれ設けられている。係り縁６０により、挿入ロッド１１を係止する力を増加することが可能であるため、全体の結合が強固となる。主体２１には、第１接合穴５１の延び方向に沿って延びる第１翼７１と、第２接合穴５２の延び方向に沿って延びる第２翼７２と、が設けられている。
【００１４】
（実施例２）
図５を参照する。本実施例の実施例１と相違する点は、棚組立用継ぎ手２０Ｂが、更に、第３接合構造４３を含み、主体２１が、更に、第３接合端３３を有し、第３接合端３３が第１接合端３１の反対側に位置し、第３接合構造４３が、第３接合端３３に設けられており、挿入ロッド１１を挿入して緊迫させることが可能な少なくとも二つの第３接合穴５３を有し、第２接合穴５２が少なくとも三つあることにある。同じように、本実施例では、各第１接合穴５１と各第２接合穴５２と各第３接合穴５３との内部には、挿入ロッド１１を係止する係り縁６０がそれぞれ設けられている。主体２１には、第１接合穴５１の延び方向に沿って延びる第１翼７１と、第２接合穴５２の延び方向に沿って延びる第２翼７２と、第３接合穴５３の延び方向に沿って延びる第３翼７３と、が設けられている。
【００１５】
（実施例３）
図６を参照する。本実施例の実施例２と相違する点は、棚組立用継ぎ手２０Ｃが、更に、第４接合構造４４を含み、主体２１が、更に、第４接合端３４を有し、第４接合端３４が第２接合端３２の反対側に位置し、第４接合構造４４が、第４接合端３４に設けられており、挿入ロッド１１を挿入して緊迫させることが可能な少なくとも三つの第４接合穴５４を有し、なお、第１接合穴５１、第２接合穴５２及び第３接合穴５３が少なくとも三つあることにある。同じように、本実施例では、各第１接合穴５１と各第２接合穴５２と各第３接合穴５３と各第４接合穴５４との内部には、挿入ロッド１１を係止する係り縁６０がそれぞれ設けられている。主体２１には、第１接合穴５１の延び方向に沿って延びる第１翼７１と、第２接合穴５２の延び方向に沿って延びる第２翼７２と、第３接合穴５３の延び方向に沿って延びる第３翼７３と、第４接合穴５４の延び方向に沿って延びる第４翼７４と、が設けられている。
【００１６】
図７及び図８を参照する。本考案のドアプレート１２に握りツマミ１２１が設けられている。握りツマミ１２１と同じ側に位置する挿入ロッド１１（二つある）は、短縮する必要があり、そうしないとドアプレート１２を開けることができない。本考案のキャスター１３は取付ロッド１３１を有する。キャスター１３を組付けると、棚の移動が容易となる。
【００１７】
図９及び図１０を参照する。図９及び図１０に示すように、実施例１の棚組立用継ぎ手２０Ａ、実施例２の棚組立用継ぎ手２０Ｂ、ドアプレート１２、プレート１０及びキャスター１３を組立てると、ドアプレート１２を有する組合せ式棚が形成される。
【００１８】
図１１を参照する。図１１は本考案の別の使用状態を示す模式図である。図１１に示すように、実施例１の棚組立用継ぎ手２０Ａ、実施例２の棚組立用継ぎ手２０Ｂ、実施例３の棚組立用継ぎ手２０Ｃ及びプレート１０を組立てると、階段状を呈する組合せ式棚が形成される。
【００１９】
図１２を参照する。図１２は本考案のプレートと棚組立用継ぎ手を組付けた状態を示す図である。本考案の第１翼７１と第２翼７２と第３翼７３と第４翼７４との設計（棚組立用継ぎ手２０Ａを例にして、第１翼７１だけを示し）により、プレート１０の面取り１４によるプレート１０と棚組立用継ぎ手２０Ａ、２０Ｂ、２０Ｃの間に大きすぎる隙間の発生を回避可能であり、全体の見栄えが良くなる。
【００２０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２１】
本考案は、組合せ式棚に適用することができる。
【符号の説明】
【００２２】
１０  プレート
１１  挿入ロッド
１２  ドアプレート
１３  キャスター
１４  面取り
２０Ａ、２０Ｂ、２０Ｃ  棚組立用継ぎ手
２１  主体
３１  第１接合端
３２  第２接合端
３３  第３接合端
３４  第４接合端
４１  第１接合構造
４２  第２接合構造
４３  第３接合構造
４４  第４接合構造
５１  第１接合穴
５２  第２接合穴
５３  第３接合穴
５４  第４接合穴
６０  係り縁
７１  第１翼
７２  第２翼
７３  第３翼
７４  第４翼
１２１  握りツマミ
１３１  取付ロッド
【図１】
0003196769.tif 000003
【図２】
0003196769.tif 000004
【図３】
0003196769.tif 000005
【図４】
0003196769.tif 000006
【図５】
0003196769.tif 000007
【図６】
0003196769.tif 000008
【図７】
0003196769.tif 000009
【図８】
0003196769.tif 000010
【図９】
0003196769.tif 000011
【図１０】
0003196769.tif 000012
【図１１】
0003196769.tif 000013
【図１２】
0003196769.tif 000014